(57)【要約】【課題】あるユーザの操作による影響が他のユーザに及ぶことを防止する。【解決手段】信号処理部で情報信号を処理する。情報信号送信部で、信号処理部で処理された情報信号を外部機器に送信する。制御信号受信部で、外部機器から制御信号を受信する。制御無効化部で、制御信号受信部で受信される制御信号による制御を無効化する。接続される外部機器が複数となる場合、あるユーザの操作による影響が他のユーザに及ぶことを防止できる。例えば、商品説明会などの多人数に向けて一度に同じ音声信号を提供する際などに有効となる。【選択図】図１
2013085120.tif 000002
【特許請求の範囲】
【請求項１】
情報信号を処理する信号処理部と、
上記信号処理部で処理された情報信号を外部機器に送信する情報信号送信部と、
上記外部機器から制御信号を受信する制御信号受信部と、
上記制御信号受信部で受信される制御信号による制御を無効化する制御無効化部とを備える
情報信号送信装置。
【請求項２】
上記制御無効化部は、
ユーザ設定に基づいて、上記制御信号による制御を無効化する
請求項１に記載の情報信号送信装置。
【請求項３】
上記制御無効化部は、
上記情報送信部が複数の上記外部機器に上記情報信号を送信する状態にあるとき上記制御信号による制御を無効化する
請求項１に記載の情報信号送信装置。
【請求項４】
上記制御無効化部は、
スレーブ設定された上記外部機器から受信された上記制御信号による制御を無効化する
請求項１に記載の情報信号送信装置。
【請求項５】
上記制御信号による制御は、上記信号処理部の制御である
請求項１に記載の情報信号送信装置。
【請求項６】
上記信号処理部は、マルチチャネル音声信号からヘッドホン駆動用の２チャネル音声信号を生成する処理を行い、
上記制御信号は、センターレベルやサブウーファーレベルの調整、あるいは音場を操作するための制御信号である
請求項５に記載の情報信号送信装置。
【請求項７】
上記制御信号による制御は、電源のオンオフ制御である
請求項１に記載の情報信号送信装置。
【請求項８】
上記制御無効化部により上記制御信号による制御が無効化されていることを上記外部機器に通知する制御無効化通知部をさらに備える
請求項１に記載の情報信号送信装置。
【請求項９】
情報信号を処理する信号処理ステップと、
上記信号処理ステップで処理された情報信号を外部機器に送信する情報信号送信ステップと、
上記外部機器から制御信号を受信する制御信号受信ステップと、
上記制御信号受信ステップで受信される制御信号による制御を無効化する制御無効化ステップとを備える
情報信号送信方法。
【請求項１０】
コンピュータを、
情報信号を処理する信号処理手段と、
上記信号処理手段で処理された情報信号を外部機器に送信する情報信号送信手段と、
上記外部機器から制御信号を受信する制御信号受信手段と、
上記制御信号受信手段で受信される制御信号による制御を無効化する制御無効化手段と
して機能させるプログラム。
【請求項１１】
外部機器から情報信号を受信する情報信号受信部と、
上記外部機器に制御信号を送信する制御信号送信部と、
上記制御信号の送信を無効化する送信無効化部とを備える
情報信号受信装置。
【請求項１２】
上記送信無効化部は、
ユーザ設定に基づいて、上記制御信号の送信を無効化する
請求項１１に記載の情報信号受信装置。
【請求項１３】
上記送信無効化部は、
スレーブ設定がされているとき、上記制御信号の送信を無効化する
請求項１１に記載の情報信号受信装置。
【請求項１４】
上記送信無効化部は、
上記外部機器からの無効化制御信号に基づいて、上記制御信号の送信を無効化する
請求項１１に記載の情報信号受信装置。
【請求項１５】
外部機器から情報信号を受信する情報信号受信ステップと、
上記外部機器に制御信号を送信する制御信号送信ステップと、
上記制御信号の送信を無効化する送信無効化ステップとを備える
情報信号受信方法。
【請求項１６】
コンピュータを、
外部機器から情報信号を受信する情報信号受信手段と、
上記外部機器に制御信号を送信する制御信号送信手段と、
上記制御信号の送信を無効化する送信無効化手段と
として機能させるプログラム。
【請求項１７】
情報信号送信装置および情報信号受信装置とが無線あるいは有線で接続されてなる情報送受信システムであって、
上記情報信号送信装置は、
情報信号を処理する信号処理部と、
上記信号処理部で処理された情報信号を上記情報信号受信装置に送信する情報信号送信部と、
上記情報信号受信装置から制御信号を受信する制御信号受信部と、
上記制御信号受信部で受信される制御信号による制御を無効化する制御無効化部とを備え、
上記情報信号受信装置は、
上記情報送信装置から情報信号を受信する情報信号受信部と、
上記情報信号送信装置に制御信号を送信する制御信号送信部とを備える
情報送受信システム
【請求項１８】
情報信号送信装置および情報信号受信装置とが無線あるいは有線で接続されてなる情報送受信システムであって、
上記情報信号送信装置は、
情報信号を処理する信号処理部と、
上記信号処理部で処理された情報信号を上記情報信号受信装置に送信する情報信号送信部と、
上記情報信号受信装置から制御信号を受信する制御信号受信部とを備え、
上記情報信号受信装置は、
上記情報送信装置から情報信号を受信する情報信号受信部と、
上記情報信号送信装置に制御信号を送信する制御信号送信部と、
上記制御信号の送信を無効化する送信無効化部とを備える
情報送受信システム。
【発明の詳細な説明】
【技術分野】
【０００１】
本技術は、情報信号送信装置、情報信号送信方法、情報信号受信装置、情報信号受信装置、プログラムおよび情報送受信システムに関し、特に、音声信号や映像信号等の情報信号を出力装置に送信する情報信号送信装置等に関する。
【背景技術】
【０００２】
従来、例えば、特許文献１等に記載されているように、トランスミッタからヘッドホン装置に音声信号を無線で送信するワイヤレスヘッドホンが知られている。また、ヘッドホン装置側に備えられた操作スイッチにより、トランスミッタ（本体）に触れることなく、モード切り替えや、特定チャンネルの音量変更などが可能となっているサラウンドヘッドホンシステムがある。
【先行技術文献】
【特許文献】
【０００３】
【特許文献１】特表２００８−５３２３６３号公報
【発明の概要】
【発明が解決しようとする課題】
【０００４】
ワイヤレスサラウンドヘッドホンの特長として、１台のトランスミッタに対し、複数のヘッドホン装置を対応させて、多人数で同時にサラウンドを楽しめるという機能がある。この場合、トランスミッタからペアリングされた複数ヘッドホン装置へは全て同じ音声信号が送信される。そのため、例えば、商品説明会のような一度に多人数で同じ再生音を聴くような場面において、不意にヘッドホン装置の操作スイッチに触ってモード切り替え操作が行われた場合には、その影響が全てのヘッドホン装置に行きわたってしまうという不都合がある。
【０００５】
本技術の目的は、あるユーザの操作による影響が他のユーザに及ぶことを防止することにある。
【課題を解決するための手段】
【０００６】
本技術の概念は、
情報信号を処理する信号処理部と、
上記信号処理部で処理された情報信号を外部機器に送信する情報信号送信部と、
上記外部機器から制御信号を受信する制御信号受信部と、
上記制御信号受信部で受信される制御信号による制御を無効化する制御無効化部とを備える
情報信号送信装置にある。
【０００７】
本技術において、信号処理部により、音声信号、映像信号などの情報信号が処理される。情報信号送信部により、信号処理部で処理された情報信号が外部機器（情報信号受信装置）に送信される。制御信号受信部により、外部機器から制御信号が受信される。そして、制御無効化部により、制御信号による制御が無効化される。
【０００８】
例えば、制御信号による制御は信号処理部の制御とされる。例えば、信号処理部がマルチチャネル音声信号からヘッドホン駆動用の２チャネル音声信号を生成する処理を行う場合、制御信号による制御はセンターレベルおよび／またはサブウーファーレベルの調整する制御とされる。また、例えば、制御信号による制御は、電源のオンオフ制御とされる。
【０００９】
例えば、制御無効化部は、ユーザ設定に基づいて、制御信号による制御を無効化する、ようにされる。ここで、ユーザ設定は、例えば、筐体の外面に存在する操作スイッチを操作すること等で行われる。また、例えば、制御無効化部は、情報送信部が複数の外部機器に情報信号を送信する状態にあるとき、この制御信号による制御を無効化する、ようにされる。また、例えば、制御無効化部は、スレーブ設定された外部機器から受信された制御信号による制御を無効化する、ようにされる。
【００１０】
このように本技術においては、制御信号による制御を無効化する制御無効化部が備えられるものである。この制御無効化部の存在により、あるユーザの操作による影響が他のユーザに及ぶことを防止することが可能となる。
【００１１】
また、本技術の他の概念は、
外部機器から情報信号を受信する情報信号受信部と、
上記外部機器に制御信号を送信する制御信号送信部と、
上記制御信号の送信を無効化する送信無効化部とを備える
情報信号受信装置にある。
【００１２】
本技術において、情報信号受信部により、外部機器から情報信号が受信される。また、制御信号送信部により、外部機器に制御信号が送信される。そして、送信無効化部により、制御信号の送信が無効化される。
【００１３】
例えば、送信無効化部は、ユーザ設定に基づいて、制御信号の送信を無効化する、ようにされる。また、例えば、送信無効化部は、スレーブ設定がされているとき、制御信号の送信を無効化する、ようにされる。また、例えば、送信無効化部は、外部機器からの無効化制御信号に基づいて、制御信号の送信を無効化する、ようにされる。
【００１４】
このように本技術においては、制御信号の送信を無効化する送信無効化部が備えられるものである。この送信無効化部の存在により、あるユーザの操作による影響が他のユーザに及ぶことを防止することが可能となる。
【発明の効果】
【００１５】
本技術によれば、あるユーザの操作による影響が他のユーザに及ぶことを防止できる。
【図面の簡単な説明】
【００１６】
【図１】実施の形態としてのワイヤレスサラウンド・ヘッドホンシステムの構成例を示すブロック図である。
【図２】トランスミッタの制御部における制御動作の一例を示すフローチャートである。
【図３】ペアリングされているヘッドホン装置の個数の変更があった場合における制御部の制御動作の一例を示すフローチャートである。
【図４】ヘッドホン装置の制御部における制御動作の一例を示すフローチャートである。
【発明を実施するための形態】
【００１７】
以下、発明を実施するための形態（以下、「実施の形態」とする）について説明する。なお、説明を以下の順序で行う。
１．第１の実施の形態
２．変形例
【００１８】
＜１．実施の形態＞
［ワイヤレスサラウンド・ヘッドホンシステムの構成例］
図１は、ワイヤレスサラウンド・ヘッドホンシステム（以下、単に、「ヘッドホンシステム」と呼ぶ）１０の構成例を示している。このヘッドホンシステム１０は、情報信号送信装置としてのトランスミッタ１００と、情報受信装置としてのヘッドホン装置２００とが、無線接続されて構成されている。
【００１９】
トランスミッタ１００について説明する。トランスミッタ１００は、制御部１０１と、信号処理部１０２と、ＲＦモジュール１０３と、操作スイッチ１０４を有している。制御部１０１は、マイクロコンピュータ（μＣ）を備え、トランスミッタ１００の各部の動作を制御する。信号処理部１０２は、例えば、５．１チャネル、あるいは７．１チャネルなどのマルチチャネル音声信号からヘッドホン駆動用の２チャネル音声信号を生成する。
【００２０】
ＲＦモジュール１０３は、信号処理部１０２で得られた２チャネル音声信号を、ヘッドホン装置２００に送信する。また、この信号処理部１０３は、ヘッドホン装置１０３から送られてくる制御信号を受信し、制御部１０１に送る。この制御信号は、例えば、信号処理部１０２を制御するための制御信号であって、例えば、センターレベルやサブウーファーレベルの調整、さらには音場を操作するための制御信号である。また、この制御信号は、例えば、電源のオンオフを制御するための制御信号である。
【００２１】
操作スイッチ１０４は、ユーザが種々の操作あるいは設定を行うユーザインタフェースを構成している。ユーザは、操作スイッチ１０４の操作により、ヘッドホン装置１０３から送られてくる制御信号による制御を無効化するように設定できる。制御部１０１は、このユーザ設定に基づいて、ヘッドホン装置１０３から送られてくる制御信号による制御を無効化する。
【００２２】
また、このヘッドホン装置１０３から送られてくる制御信号による制御の無効化を、制御部１０１は、ペアリングされているヘッドホン装置２００の個数が所定数以上、この実施の形態では複数であるとき、ヘッドホン装置１０３から送られてくる制御信号による制御を無効化する。ペアリングされているヘッドホン装置２００には、ＲＦモジュール１０３から２チャネル音声信号が送信される。
【００２３】
ユーザは、操作スイッチ１０４の操作により、ペアリングされるヘッドホン装置２００を設定できる。制御部１０１は、このように操作スイッチ１０４の操作でペアリング設定されるヘッドホン装置２００をモニタリングすることで、ペアリングされているヘッドホン装置２００の個数が複数か否かを確認でき、さらには、その個数の変化を認識できる。このように、ペアリングされているヘッドホン装置２００の個数が複数となるとき、ヘッドホン装置１０３から送られてくる制御信号による制御を無効化するか否かを、ユーザは、操作スイッチ１０４の操作により設定できる。
【００２４】
制御部１０１は、ヘッドホン装置１０３から送られてくる制御信号による制御を無効化する場合、その旨を、ＲＦモジュール１０３を通じて、ペアリングされている各ヘッドホン装置２００に通知する。この通知により、ヘッドホン装置１０３では、例えば、表示部にその旨を表示でき、ユーザの便宜を図ることができる。
【００２５】
ヘッドホン装置２００について説明する。ヘッドホン装置２００は、制御部２０１と、ＲＦモジュール２０２と、操作スイッチ２０３を有している。制御部２０１は、マイクロコンピュータ（μＣ）を備え、ヘッドホン装置２００の各部の動作を制御する。
【００２６】
ＲＦモジュール２０２は、トランスミッタ１００から送られてくる２チャネル音声信号を受信する。また、ＲＦモジュール２０２は、制御部２０１から発生されるトランスミッタ１００に送信すべき制御信号を、トランスミッタ１００に送信する。この制御信号は、上述したように、例えば、トランスミッタ１００の信号処理部１０２を制御するための制御信号、電源のオンオフを制御するための制御信号などである。
【００２７】
操作スイッチ２０３は、ユーザが種々の操作あるいは設定を行うユーザインタフェースを構成している。ユーザは、操作スイッチ２０３の操作により、制御部２０１から、上述のトランスミッタ１００に送信すべき制御信号を発生させることができる。
【００２８】
また、ユーザは、操作スイッチ２０３の操作により、制御信号の送信を無効化するように設定できる。制御部２０１は、このユーザ設定に基づいて、制御信号の送信を無効化する。この制御信号の送信の無効化は、制御部２０１からの制御信号の発生を中止するか、あるいはＲＦモジュール２０２からの制御信号の送信を中止すること等で達成される。
【００２９】
図１に示すワイヤレスサラウンド・ヘッドホンシステム１０における２チャネル音声信号の送受信動作を簡単に説明する。トランスミッタ１０２の信号処理部１０２では、例えば、５．１チャネル、あるいは７．１チャネルなどのマルチチャネル音声信号からヘッドホン駆動用の２チャネル音声信号が生成される。この場合、信号処理部１０２では、マルチチャネルにおける各チャネルの音像定位が良好に行われる２チャネル音声信号が生成される。この２チャネル音声信号は、信号処理部１０２からＲＦモジュール１０３に送られ、トランスミッタ１００とペアリングされている１つあるいは複数のヘッドホン装置２００に送信される。
【００３０】
また、ヘッドホン装置２００のＲＦモジュール２０２では、トランスミッタ１００から送られてくる２チャネル音声信号が受信される。この２チャネル音声信号には、左チャネル音声信号および右チャネル音声信号が含まれており、それぞれ図示しないスピーカユニットに供給され、音声再生が行われる。
【００３１】
また、ヘッドホン装置２００の制御部２０１からは、ユーザの操作スイッチ２０３の操作に基づいて、トランスミッタ１００に送信すべき制御信号が発生される。この制御信号は、ＲＦモジュール２０２に送られ、トランスミッタ１００に送信される。なお、ヘッドホン装置２００において、制御信号の送信が無効化されている場合には、このような制御信号のトランスミッタ１００への送信は行われない。
【００３２】
また、トランスミッタ１００のＲＦモジュール１０３では、ヘッドホン装置２００から送られてくる制御信号が受信され、制御部１０１に送られる。制御部１０１は、この制御信号に基づいて、信号処理部１０２を制御し、あるいは、電源のオンオフを制御する。信号処理部１０２の制御により、例えば、センターレベルやサブウーファーレベルの調整、さらには音場の操作などが行われる。なお、トランスミッタ１００において、ヘッドホン装置２００からの制御信号による制御が無効化されている場合には、このような制御は行われない。
【００３３】
図２のフローチャートは、トランスミッタ１００の制御部１０１における制御動作の一例を示している。制御部１０１は、ステップＳＴ１において、パワーオンに合わせて制御動作を開始する。そして、制御部１０１は、ステップＳＴ２において、ヘッドホン装置２００からの制御信号による制御を無効とすべきか否かを判断する。制御部１０１は、操作スイッチ１０４によるユーザ設定、あるいはペアリングされているヘッドホン装置２００の個数等により判断する。
【００３４】
無効とすべきと判断するとき、制御部１０１は、ステップＳＴ３において、ヘッドホン装置２００からの制御信号による制御を無効にする。例えば、ＲＦモジュール１０３で受信されるヘッドホン装置２００からの制御信号を制御部１０１に送らない状態とする。一方、無効としないと判断するとき、制御部１０１は、ステップＳＴ４において、ヘッドホン装置２００からの制御信号による制御を有効にする。例えば、ＲＦモジュール１０３で受信されるヘッドホン装置２００からの制御信号を制御部１０１に送る状態とする。
【００３５】
制御部１０１は、ステップＳＴ３およびステップＳＴ４の処理の後、ステップＳＴ５の処理に移る。このステップＳＴ５において、制御部１０１は、ブート処理を行う。そして、制御部１０１は、ステップＳＴ６において、再生を開始する。これにより、トランスミッタ１００からヘッドホン装置２００への２チャネル音声信号の送信が開始される。
【００３６】
また、図３のフローチャートは、ペアリングされているヘッドホン装置２００の個数に変更があった場合における制御部１０１の制御動作の一例を示している。この例は、ペアリングされているヘッドホン装置２００の個数が複数となるとき、ヘッドホン装置１０３から送られてくる制御信号による制御を無効化する、という設定が有効になっている場合の例である。
【００３７】
制御部１０１は、ステップＳＴ１１において、ヘッドホン装置２００の個数変化に合わせて制御動作を開始する。そして、制御部１０１は、ステップＳＴ１２において、ヘッドホン装置２００の個数が複数か否かを判断する。
【００３８】
個数が複数であると判断するとき、制御部１０１は、ステップＳＴ１３において、ヘッドホン装置２００からの制御信号による制御を無効にする。例えば、ＲＦモジュール１０３で受信されるヘッドホン装置２００からの制御信号を制御部１０１に送らない状態とする。一方、個数が複数でないと判断するとき、制御部１０１は、ステップＳＴ１４において、ヘッドホン装置２００からの制御信号による制御を有効にする。例えば、ＲＦモジュール１０３で受信されるヘッドホン装置２００からの制御信号を制御部１０１に送る状態とする。
【００３９】
制御部１０１は、ステップＳＴ１３およびステップＳＴ１４の処理の後、ステップＳＴ１５の処理に移る。このステップＳＴ１５において、制御部１０１は、ミュートを解除する。上述していないが、ヘッドホン装置２００の個数変化に伴って、トランスミッタ１００はミュート状態におかれている。そして、制御部１０１は、ステップＳＴ１６において、再生を開始する。これにより、トランスミッタ１００からヘッドホン装置２００への２チャネル音声信号の送信が再開される。
【００４０】
図４のフローチャートは、ヘッドホン装置２００の制御部２０１の制御動作の一例を示している。制御部２０１は、ステップＳＴ２１において、パワーオンに合わせて制御動作を開始する。そして、制御部２０１は、ステップＳＴ２２において、トランスミッタ１００への制御信号の送信を無効とすべきか否かを判断する。制御部２０１は、操作スイッチ２０３によるユーザ設定等により判断する。
【００４１】
無効とすべきと判断するとき、制御部２０１は、ステップＳＴ２３において、トランスミッタ１００への制御信号の送信を無効にする。例えば、制御部２０１からＲＦモジュール２０２に制御信号を送らない状態とする。一方、無効としないと判断するとき、ステップＳＴ２４において、トランスミッタ１００への制御信号の送信を有効にする。例えば、制御部２０１からＲＦモジュール２０２に制御信号を送る状態とする。
【００４２】
制御部２０１は、ステップＳＴ２３およびステップＳＴ２４の処理の後、ステップＳＴ２５の処理に移る。このステップＳＴ２５において、制御部２０１は、ブート処理を行う。そして、制御部２０１は、ステップＳＴ２６において、再生を開始する。これにより、トランスミッタ１００から送られてくる２チャネル音声信号を受信して再生が開始される。
【００４３】
上述したように、図１に示すワイヤレスサラウンド・ヘッドホンシステム１０においては、トランスミッタ１００でヘッドホン装置２００からの制御信号による制御を無効化することができ、また、ヘッドホン装置２００でトランスミッタ１００への制御信号の送信を無効化することができる。そのため、例えば、トランスミッタ１００にペアリングされるヘッドホン装置２００の個数が複数となる場合、あるユーザの操作による影響が他のユーザに及ぶことを防止することが可能となる。例えば、商品説明会などの多人数に向けて一度に同じ音声信号を提供する際などに、有効となる。
【００４４】
＜２．変形例＞
なお、上述実施の形態においては、トランスミッタ１００にペアリングされているヘッドホン装置２００の個数が複数である場合、トランスミッタ１００においては、全てのヘッドホン装置２００からの制御信号が無効化される。しかし、ヘッドホン装置２００においてマスター／スレーブの設定を可能とし、スレーブ設定されているヘッドホン装置２００からの制御信号のみを無効化することも考えられる。
【００４５】
この場合、トランスミッタ１００にペアリングされているヘッドホン装置２００の個数が複数である場合、マスター設定されているヘッドホン装置２００からの制御信号による制御は有効とされる。なお、この場合、スレーブ設定されているヘッドホン装置２００において、トランスミッタ１００への制御信号の送信が無効化されるようにしてもよい。
【００４６】
また、上述実施の形態においては、トランスミッタ１００がヘッドホン装置２００からの制御信号による制御を無効とすべきと判断するとき、自身において当該制御信号を無効化する処理を行っている。しかし、この場合、トランスミッタ１００がヘッドホン装置２００にＲＦモジュール１０３を通じて無効化制御信号を送信し、ヘッドホン装置２００においてトランスミッタ１００への制御信号の送信を無効化することも考えられる。
【００４７】
また、上述実施の形態においては、本技術を、ワイヤレスサラウンド・ヘッドホンシステムに適用した例を示した。しかし、本技術は、その他の同様のシステムにも適用できることは勿論である。その場合の情報信号は、音声信号に限定されるものではなく、映像信号も含まれる。また、その場合の通信手段は、無線に限定されるものではなく、有線であってもよい。
【００４８】
また、本技術は、以下のような構成を取ることもできる。
（１）情報信号を処理する信号処理部と、
上記信号処理部で処理された情報信号を外部機器に送信する情報信号送信部と、
上記外部機器から制御信号を受信する制御信号受信部と、
上記制御信号受信部で受信される制御信号による制御を無効化する制御無効化部とを備える
情報信号送信装置。
（２）上記制御無効化部は、
ユーザ設定に基づいて、上記制御信号による制御を無効化する
前記（１）に記載の情報信号送信装置。
（３）上記制御無効化部は、
上記情報送信部が複数の上記外部機器に上記情報信号を送信する状態にあるとき上記制御信号による制御を無効化する
前記（１）に記載の情報信号送信装置。
（４）上記制御無効化部は、
スレーブ設定された上記外部機器から受信された上記制御信号による制御を無効化する
前記（１）に記載の情報信号送信装置。
（５）上記制御信号による制御は、上記信号処理部の制御である
前記（１）から（４）のいずれかに記載の情報信号送信装置。
（６）上記信号処理部は、マルチチャネル音声信号からヘッドホン駆動用の２チャネル音声信号を生成する処理を行い、
上記制御信号は、センターレベルやサブウーファーレベルの調整、あるいは音場を操作するための制御信号である
前記（５）に記載の情報信号送信装置。
（７）上記制御信号による制御は、電源のオンオフ制御である
前記（１）から（６）のいずれかに記載の情報信号送信装置。
（８）上記制御無効化部により上記制御信号による制御が無効化されていることを上記外部機器に通知する制御無効化通知部をさらに備える
前記（１）から（７）のいずれかに記載の情報信号送信装置。
（９）情報信号を処理する信号処理ステップと、
上記信号処理ステップで処理された情報信号を外部機器に送信する情報信号送信ステップと、
上記外部機器から制御信号を受信する制御信号受信ステップと、
上記制御信号受信ステップで受信される制御信号による制御を無効化する制御無効化ステップとを備える
情報信号送信方法。
（１０）コンピュータを、
情報信号を処理する信号処理手段と、
上記信号処理手段で処理された情報信号を外部機器に送信する情報信号送信手段と、
上記外部機器から制御信号を受信する制御信号受信手段と、
上記制御信号受信手段で受信される制御信号による制御を無効化する制御無効化手段と
して機能させるプログラム。
（１１）外部機器から情報信号を受信する情報信号受信部と、
上記外部機器に制御信号を送信する制御信号送信部と、
上記制御信号の送信を無効化する送信無効化部とを備える
情報信号受信装置。
（１２）上記送信無効化部は、
ユーザ設定に基づいて、上記制御信号の送信を無効化する
前記（１１）に記載の情報信号受信装置。
（１３）上記送信無効化部は、
スレーブ設定がされているとき、上記制御信号の送信を無効化する
前記（１１）に記載の情報信号受信装置。
（１４）上記送信無効化部は、
上記外部機器からの無効化制御信号に基づいて、上記制御信号の送信を無効化する
前記（１１）に記載の情報信号受信装置。
（１５）外部機器から情報信号を受信する情報信号受信ステップと、
上記外部機器に制御信号を送信する制御信号送信ステップと、
上記制御信号の送信を無効化する送信無効化ステップとを備える
情報信号受信方法。
（１６）コンピュータを、
外部機器から情報信号を受信する情報信号受信手段と、
上記外部機器に制御信号を送信する制御信号送信手段と、
上記制御信号の送信を無効化する送信無効化手段と
として機能させるプログラム。
（１７）情報信号送信装置および情報信号受信装置とが無線あるいは有線で接続されてなる情報送受信システムであって、
上記情報信号送信装置は、
情報信号を処理する信号処理部と、
上記信号処理部で処理された情報信号を上記情報信号受信装置に送信する情報信号送信部と、
上記情報信号受信装置から制御信号を受信する制御信号受信部と、
上記制御信号受信部で受信される制御信号による制御を無効化する制御無効化部とを備え、
上記情報信号受信装置は、
上記情報送信装置から情報信号を受信する情報信号受信部と、
上記情報信号送信装置に制御信号を送信する制御信号送信部とを備える
情報送受信システム
（１８）情報信号送信装置および情報信号受信装置とが無線あるいは有線で接続されてなる情報送受信システムであって、
上記情報信号送信装置は、
情報信号を処理する信号処理部と、
上記信号処理部で処理された情報信号を上記情報信号受信装置に送信する情報信号送信部と、
上記情報信号受信装置から制御信号を受信する制御信号受信部とを備え、
上記情報信号受信装置は、
上記情報送信装置から情報信号を受信する情報信号受信部と、
上記情報信号送信装置に制御信号を送信する制御信号送信部と、
上記制御信号の送信を無効化する送信無効化部とを備える
情報送受信システム。
【符号の説明】
【００４９】
１０・・・ワイヤレスサラウンド・ヘッドホンシステム
１００・・・トランスミッタ
１０１・・・制御部
１０２・・・信号処理部
１０３・・・ＲＦモジュール
１０４・・・操作スイッチ
２００・・・ヘッドホン装置
２０１・・・制御部
２０２・・・ＲＦモジュール
２０３・・・操作スイッチ
【図１】
2013085120.tif 000003
【図２】
2013085120.tif 000004
【図３】
2013085120.tif 000005
【図４】
2013085120.tif 000006